(57)【要約】【課題】本発明は、曲面形状等の形状に形成した場合でも、所望の複屈折率性が得られるメガネ用位相差フィルム、３Ｄメガネ用光学シート及び３Ｄメガネを提供することを目的とする。【解決手段】本発明のメガネ用位相差フィルムは、主ポリマーとしてシクロオレフィンコポリマーまたはシクロオレフィンポリマーを含み、平面方向に複屈折性を有する。このメガネ用位相差フィルムを３Ｄメガネのレンズに用いることにより、レンズを三次元で湾曲した形状に形成しても、メガネ用位相差フィルムの熱や応力による位相差の変化が小さく、メガネ用位相差フィルムの複屈折性の変化が生じ難く、レンズに所望の光線を透過させることができる。【選択図】図１
2012220853.tif 000002
【特許請求の範囲】
【請求項１】
主ポリマーとしてシクロオレフィンコポリマーまたはシクロオレフィンポリマーを含み、
平面方向に複屈折性を有するメガネ用位相差フィルム。
【請求項２】
一軸延伸により形成されている請求項１に記載のメガネ用位相差フィルム。
【請求項３】
１／４波長板である請求項１または請求項２に記載のメガネ用位相差フィルム。
【請求項４】
請求項１、請求項２または請求項３に記載のメガネ用位相差フィルムと、このメガネ用位相差フィルムに積層される偏光板とを備える３Ｄメガネ用光学シート。
【請求項５】
三次元で湾曲している請求項４に記載の３Ｄメガネ用光学シート。
【請求項６】
メガネ用位相差フィルムの進相軸方向と偏光板の透過軸方向とが約４５°の角度で配設されている請求項４または請求項５に記載の３Ｄメガネ用光学シート。
【請求項７】
請求項６に記載の３Ｄメガネ用光学シートをそれぞれ含む右目用レンズ及び左目用レンズを備え、
右目用レンズ及び左眼用レンズのうち一方のレンズの眼鏡用位相差フィルムの進相軸方向が、一方のレンズの偏光板の透過軸方向に対して一方向側で約４５°の角度に配設されており、
右目用レンズ及び左眼用レンズのうち他方のレンズの眼鏡用位相差フィルムの進相軸方向が、他方のレンズの偏光板の透過軸方向に対して他方向側で約４５°の角度に配設されている３Ｄメガネ。
【発明の詳細な説明】
【技術分野】
【０００１】
本発明は、メガネ用位相差フィルム、これを用いた３Ｄメガネ用光学シート、及びこれを用いた３Ｄメガネに関するものである。
【背景技術】
【０００２】
近年、３Ｄメガネは、３Ｄ（３次元）立体画像表示装置から出射された映像光を視認する際に視認者が装着して用いられる。この３Ｄ立体画像表示装置は、視差を有する右目用映像光線と左目用映像光線とを出射し、右目用レンズと左目用レンズとで光学性能の異なる３Ｄメガネを通して視認者が視認することにより、視認者が３Ｄ立体画像を認識できるよう設けられている（例えば特開２０１１−４８２３６号公報参照）。
【０００３】
具体的には、３Ｄ立体画像表示装置から出射される右目用映像光線と左目用映像光線とは、回転方向の異なる円偏光として出射されている。そして、３Ｄメガネは、３Ｄ立体画像表示装置側に１／４波長板を有している。そして、この１／４波長板によって円偏光である右目用映像光線と左目用映像光線とが直線偏光に変換されて透過する。ここで、右目用映像光線と左目用映像光線とは回転方向の異なる円偏光であるため、１／４波長板の進相軸に対して、右回転の映像光線が右回転側に４５°、左回転の映像光線が左回転側に４５°傾斜した方向の直線偏光に変換される。
【０００４】
また、３Ｄメガネは、視認者側に偏光板を有している。この偏光板は、各レンズにおいて、１／４波長板の進相軸方向に対して透過軸方向が、一方のレンズでは一方向（例えば右回転方向）に傾斜し、他方のレンズでは他方向（左回転方向）に傾斜して配設されている。このため、上記のように１／４波長板で直線偏光に変換された直線偏光のうち、一方のレンズでは、左回転の映像光線が変換された直線偏光は通過せずに右回転の映像光線が変換された直線偏光のみが通過する。一方、他方のレンズでは、右回転の映像光線が変換された直線偏光は通過せずに左回転の映像光線が変換された直線偏光のみが通過することになる。これにより、装着者の右目と左目とで、それぞれ右目用映像光線に基づく映像と左目用映像光線に基づく映像とを視認でき、３Ｄ立体画像を視認者が認識できることになる。
【０００５】
この上記３Ｄメガネのレンズに用いられる１／４波長板としては、ポリカーボネートを主ポリマーとしてシート体を形成し、このシート体を延伸させた光学シートを用いることが公知である。
【０００６】
しかしながら、ポリカーボネートからなるシート体にあっては、熱成形等すると、複屈折率が変わってしまうため、この光学シートを用いた３Ｄメガネのレンズは、平面的な形状とならざるを得ない。つまり、デザイン性等を考慮して３Ｄメガネのレンズに例えば３次元的な曲面を持たせると、この曲面形状の形成に際してレンズの位相差フィルムの複屈折率が変化してしまい、その結果、所望の映像光線がレンズを透過することができず、３Ｄ立体画像を視認者が認識できなくなるという不都合が生ずる。
【先行技術文献】
【特許文献】
【０００７】
【特許文献１】特開２０１１−４８２３６号公報
【発明の開示】
【発明が解決しようとする課題】
【０００８】
本発明はこれらの不都合に鑑みてなされたものであり、曲面形状等の形状に形成しても、所望の複屈折性が得られるメガネ用位相差フィルム、これを用いた３Ｄメガネ用光学シート、及びこれを用いた３Ｄメガネを提供することを目的とする。
【課題を解決するための手段】
【０００９】
上記課題を解決するためになされた本発明のメガネ用位相差フィルムは、
主ポリマーとしてシクロオレフィンコポリマーまたはシクロオレフィンポリマーを含み、
平面方向に複屈折性を有する。
【００１０】
当該メガネ用位相差フィルムの主ポリマーはシクロオレフィンコポリマーまたはシクロオレフィンポリマーであるため、曲面形状等を形成するために熱成形を行う等、当該メガネ用位相差フィルムに熱や応力を付加しても複屈折性の変化が生じ難い。つまり、シクロオレフィンコポリマーまたはシクロオレフィンポリマーは、熱や応力による位相差の変化が小さいので、熱成形などに際しても複屈折性が維持されやすい。このため、例えばメガネのレンズに用い、このレンズに曲面形状等を形成しても、所望の複屈折性を有したレンズとすることができる。
【００１１】
また、当該メガネ用位相差フィルムは、一軸延伸により形成されている構成を採用することが好ましい。これにより、当該メガネ用位相差フィルムを一軸延伸して所望の複屈折性を付与することができる。
【００１２】
また、当該メガネ用位相差フィルムは、１／４波長板であることが好ましい。これにより、当該メガネ用位相差フィルムは、円偏光を直線偏光に変換することができるので、例えば３Ｄメガネのレンズに好適に用いることができる。
【００１３】
さらに、上記課題を解決するためになされた本発明の３Ｄメガネ用光学シートは、上記１／４波長板である当該メガネ用位相差フィルムと、このメガネ用位相差フィルムに積層される偏光板とを備える。
【００１４】
当該３Ｄメガネ用光学シートは、３Ｄメガネのレンズとして好適に用いることができ、つまり熱成形などによって曲面形状等に変形させても、複屈折性の変化が生じ難く、このため、曲面形状等に形成しても、所望の複屈折性を有したものとすることができ、レンズに所望の光線を透過させることができる。
【００１５】
また、当該３Ｄメガネ用光学シートは、三次元で湾曲している構成を具備することが好ましく、これによりデザイン性に優れた製品とすることが可能であるとともに、上述のように所望の複屈折性を有するものゆえ所望の光線を透過させることができるので、３Ｄメガネのレンズに好適に用いられる。
【００１６】
また、当該３Ｄメガネ用光学シートは、メガネ用位相差フィルムの進相軸方向と偏光板の透過軸方向とが約４５°の角度で配設されている構成を採用することが好ましい。
【００１７】
かかる構成からなる３Ｄメガネ用光学シートによれば、メガネ用位相差フィルムに円偏光が入射されると、円偏光が直線偏光に変換されてメガネ用位相差フィルムを透過する。この透過した直線偏光の偏光方向（振動方向）は円偏光の回転方向及びメガネ用位相差フィルムの進相軸方向によって決定される。具体的には、円偏光が光の進行方向から見て右回転である場合には、透過した直線偏光の偏光方向は、メガネ用位相差フィルムの進相軸方向に対して光の進行方向から見て右回転側に４５°傾斜した方向となる。一方、円偏光が光の進行方向から見て左回転である場合には、透過した直線偏光の偏光方向は、メガネ用位相差フィルムの進相軸方向に対して光の進行方向から見て左回転側に４５°傾斜した方向となる。このため、上記のように進相軸方向と透過軸方向とが約４５°の角度で配設することにより、偏光板は、一方向の回転方向の円偏光が変換された直線偏光（透過軸方向と偏光方向が一致した直線偏光）のみを透過し、他方向の回転方向の円偏光が変換された直線偏光（透過軸方向に対して垂直な偏光方向となる直線偏光）を透過しないことになる。これにより、上記構成からなる３Ｄメガネ用光学シートは、３Ｄメガネのレンズとして好適に用いることができる。
【００１８】
さらに、上記課題を解決するためになされた本発明の３Ｄメガネは、
上記のように進相軸方向と透過軸方向とを配設した当該３Ｄメガネ用光学シートをそれぞれ含む右目用レンズ及び左目用レンズを備え、
右目用レンズ及び左眼用レンズのうち一方のレンズのメガネ用位相差フィルムの進相軸方向が、一方のレンズの偏光板の透過軸方向に対して一方向側で約４５°の角度に配設されており、
右目用レンズ及び左眼用レンズのうち他方のレンズのメガネ用位相差フィルムの進相軸方向が、他方のレンズの偏光板の透過軸方向に対して他方向側で約４５°の角度に配設されている。
【００１９】
当該３Ｄメガネは、３Ｄメガネのレンズのメガネ用位相差フィルムの主ポリマーはシクロオレフィンコポリマーまたはシクロオレフィンポリマーであるため、レンズに曲面形状等を形成するために熱成形を行う等、当該メガネ用位相差フィルムに熱や応力を付加しても複屈折性の変化が生じ難い。また、一方のレンズの進相軸方向が透過軸方向に対して一方向側で約４５°の角度に配設され、他方のレンズの進相軸方向が透過軸方向に対して他方向側で約４５°の角度に配設されているので、一方のレンズには一方向の回転方向の円偏光のみが透過し、他方のレンズには他方向の回転方向の円偏光のみが透過することになる。このため、立体画像表示装置から出射される右目用映像光線と左目用映像光線とをそれぞれ右目と左目とで視認することができ、視認者は３Ｄ立体画像が認識できる。
【発明の効果】
【００２０】
以上説明したように、本発明のメガネ用位相差フィルムは、レンズを曲面形状等の所望形状に形成しても、この形状に形成する際に複屈折性が維持されやすく、このため曲面形状等に形成しても所望の光線を透過することができる。このため、３Ｄメガネ用光学シート及び３Ｄメガネに用いても、デザイン性を高めつつ、３Ｄ立体画像を的確且つ確実に認識することができる。
【図面の簡単な説明】
【００２１】
【図１】本発明の一実施形態に係る３Ｄメガネを示す模式的斜視図である。
【図２】図１の３Ｄメガネに用いられる光学シートの概略的断面図である。
【発明を実施するための形態】
【００２２】
以下、本発明の一実施形態について、３Ｄメガネ１を例にとり説明する。
【００２３】
当該３Ｄメガネ１は、フレーム２と、このフレーム２に取付けられた右目用レンズ３及び左目用レンズ３を備えている。
【００２４】
上記右目用レンズ３及び左目用レンズ３は、シート積層体からなる光学シート１０（３Ｄメガネ用光学シート）を有し、この右目用レンズ３及び左目用レンズ３は、光学シート１０が熱成形されることにより三次元で湾曲した形状を有し、レンズ３の中央側が外側（立体画像表示装置側）に湾出した形状となっている。
【００２５】
上記光学シート１０は、図２に示すように１／４波長板１１（メガネ用位相差フィルム）と偏光板１２とを有し、偏光板１２の外側に１／４波長板１１が積層されている。換言すれば、１／４波長板１１は、偏光板１２よりもレンズ３の湾出側に配設されている。なお、１／４波長板１１と偏光板１２とは、種々の方法により固着され、例えば接着剤等を介して積層固着されている。なお、接着剤を用いる場合には、透明な接着剤を用いることが好ましい。なお、図２は、熱成形前の光学シート１０を図示している。
【００２６】
上記偏光板１２は、一定方向の振動方向の光線のみを透過するよう設けられたシート状部材である。この偏光板１２としては、種々の偏光板１２を用いることができるが、例えば、ポリビニルアルコールを主体にヨウ素化合分子を吸着配向させたものを用いることができ、これに保護層等の層を設けたものを用いることも可能である。
【００２７】
上記１／４波長板１１は、平面方向に複屈折性を有するシート状部材であり、シクロオレフィンコポリマーまたはシクロオレフィンポリマーを主ポリマーとしてシート状に成形されている。この１／４波長板１１は、目的に応じて各種添加材を添加することが可能である。また、１／４波長板１１は、一軸延伸により形成されており、これにより平面方向に複屈折性が付与されている。
【００２８】
また、１／４波長板１１は、ガラス転移温度Ｔｇが１００℃以上１７０℃以下となるよう設けることが好ましく、より好ましくは１０５℃以上１６０℃以下であり、さらに好ましくは、１１０℃以上１５０℃以下となるよう設けることが好ましい。このようなガラス転移温度の範囲とすることにより、熱成形が容易且つ確実に行えるとともに、熱成形に際して複屈折性が維持されやすい。
【００２９】
右目用レンズ３の１／４波長板１１の進相軸方向は、右目用レンズ３の偏光板１２の透過軸方向に対して右回転側で約４５°の角度に配設されている。また、左眼用レンズ３の１／４波長板１１の進相軸方向は、左目用レンズ３の偏光板１２の透過軸方向に対して左回転方向で約４５°の角度に配設されている。
【００３０】
より具体的に説明するために一具体例を挙げて説明すると、右目用レンズ３及び左目用レンズ３は、偏光板１２の透過軸方向が水平方向（右目用レンズ３と左目用レンズ３とが並べて配置される方向）に配設されている。そして、右目用レンズ３の１／４波長板１１の進相軸方向は、水平方向に対して左回転側に約４５°傾斜して配設され、左目用レンズ３の１／４波長板１１の進相軸方向は、水平方向に対して右回転側に約４５°傾斜して配設されている。
【００３１】
上記構成からなる３Ｄメガネ１にあっては、装着者に３Ｄ立体画像表示装置からの映像光線に基づいて３Ｄ立体画像を認識させることができる。つまり、右目用映像光線は、右目用レンズ３を透過するが左目用レンズ３は透過せず、左目用映像光線は、左目用レンズ３を透過するが右目用レンズ３を透過しない。
【００３２】
より具体的に説明すると、例えば、右目用映像光線が右回転の円偏光である場合、この円偏光は、右目用レンズ３の１／４波長板１１を透過すると、この１／４波長板１１は、水平方向に対して左回転側に約４５°傾斜した進相軸を有するので、偏光方向が水平方向の直線偏光に変換される。この場合には、左目用映像光線は左回転であるので、この円偏光は、右目用レンズ３の１／４波長板１１を透過すると、偏光方向が上下方向（水平方向に対して垂直方向）の直線偏光に変更される。偏光板１２の透過軸方向は水平方向であるため、右目用映像光線の円偏光を変換した直線偏光（偏光方向が水平方向）のみが偏光板１２を透過し、左目用映像光線の円偏光を変換した直線偏光（偏光方向が上下方向）は偏光板１２を透過しない。
【００３３】
また、左目用レンズ３については、左目用映像光線が左回転の円偏光である場合、この円偏光は、左目用レンズ３の１／４波長板１１を透過すると、この１／４波長板１１は、水平方向に対して右回転側に約４５°傾斜した進相軸を有するので、偏光方向が水平方向の直線偏光に変換される。この場合には、右目用映像光線は右回転であるので、この円偏光は、左目用レンズ３の１／４波長板１１を透過すると、偏光方向が上下方向（水平方向に対して垂直方向）の直線偏光に変更される。偏光板１２の透過軸方向は水平方向であるため、左目用映像光線の円偏光を変換した直線偏光（偏光方向が水平方向）のみが偏光板１２を透過し、右目用映像光線の円偏光を変換した直線偏光（偏光方向が上下方向）は偏光板１２を透過しない。
【００３４】
このように、右目用映像光線の円偏光を変換した直線偏光のみが右目用レンズ３を透過し、左目用映像光線の円偏光を変換した直線偏光のみが左目用レンズ３を透過するので、上記構成からなる３Ｄメガネ１を装着することにより、３Ｄ画像表示装置からの映像光線に基づいて３Ｄ立体画像を認識することができる。
【００３５】
また、当該３Ｄメガネ１にあっては、レンズ３が三次元で湾曲しているので、デザイン性に優れた製品とすることができる。このため、３Ｄ画像表示装置を見るためにのみ用いることなく、例えば屋外などの偏光サングラスの用途にも用いることも可能となる。
【００３６】
しかも、１／４波長板１１の主ポリマーが、シクロオレフィンコポリマーまたはシクロオレフィンポリマーであるため、上記のように三次元で湾曲させるために熱成形等を行う際に、１／４波長板１１に熱や応力が付加されても、熱や応力による位相差の変化が小さく、１／４波長板１１の複屈折性の変化が生じ難い。このため、レンズ３に上述したような所望の光線を透過させることができる。
【００３７】
また、１／４波長板１１は一軸延伸により形成されているので、所望の複屈折性を容易且つ確実に得ることができる。
【００３８】
なお、上記実施形態は上述の構成を有し、上述の利点を奏するものであったが、本発明はこれに限定されるものではなく、本発明の意図する範囲内において適宜設計変更可能である。
【００３９】
つまり、上記実施形態の３Ｄメガネにおいては、右目用レンズの偏光板の透過軸方向と左目用レンズの偏光板の透過軸方向とを一致させたものについて説明したが、本発明はこれに限定されない。つまり、例えば、右目用レンズの偏光板の透過軸方向と左目用レンズの偏光板の透過軸方向とを互いに直交するよう配設して（例えば、水平方向に対して、一方を左回転方向４５°傾斜させ、他方を右回転方向に４５°傾斜させて配設して）、右目用レンズの１／４波長板の進相軸方向と左目用レンズの１／４波長板の進相軸方向とを一致させ、上記各透過軸方向に対して約４５°の角度に配設する（進相軸方向を水平方向に配設する）ことも可能である。
【００４０】
また、上記実施形態の３Ｄメガネ用光学シートは偏光板と１／４波長板との二層構造のものについて説明したが、本発明の３Ｄメガネ用光学シートはこれに限定されるものではない。例えば、偏光板と１／４波長板との間に基材層を設けることも適宜設計変更可能である。具体的には、基材層の一面に偏光板を積層接着し、他方の面に１／４波長板を積層接着することも可能である。なお、基材層は、偏光板又は１／４波長板の外面に設けることも適宜設計変更可能である。
【００４１】
また、例えば、偏光板又は／及び１／４波長板の外面に保護層等の層を設けることも適宜設計変更可能である。なお、保護層等の層を偏光板又は／及び１／４波長板の外面に設ける場合には、コーティング層とすることが好ましい。また、このようなコーティング層の塗布は、三次元立体形状に形成した後に行うことが好ましい。これにより、コーティング層が複屈折性を有さず、３Ｄメガネとして好適に用いることができる。
【産業上の利用可能性】
【００４２】
以上のように、本発明のメガネ用位相差フィルム、これを用いた３Ｄメガネ用光学シート及びこれを用いた３Ｄメガネは、３Ｄ立体画像表示装置を視認する際に好適に用いることができる。
【符号の説明】
【００４３】
１  メガネ
２  フレーム
３  レンズ
１０  光学シート
１１  波長板
１２  偏光板
【図１】
2012220853.tif 000003
【図２】
2012220853.tif 000004